(57)【特許請求の範囲】
【請求項１】
清掃対象の清掃に用いられる清掃用具であって、
長尺状の清掃体ホルダと、
前記清掃体ホルダに装着される清掃体と、
を備え、
前記清掃体ホルダは、使用者によって把持される把持部と、前記把持部からそれぞれ並行して長手状に延在する複数の保持体を有し、
前記清掃体は、長尺状の複数の分割清掃部に分割され、各分割清掃部は、当該分割清掃部の長尺方向と交差する方向に延在する繊維を複数集合させた繊維集合体と、不織布からなる複数の不織布シートが積層された不織布積層体と、互いに重ねられた前記繊維集合体及び前記不織布積層体を接合する接合部と、前記複数の不織布シート及び前記接合部によって区画され各保持体が挿入される被挿入領域と、互いに隣接する分割清掃部との間で前記清掃対象の挿入を許容する空間部とを備え、
前記分割清掃部は、当該分割清掃部の長尺方向と交差する方向に関し前記接合部を挟んで前記被挿入領域とは反対側に、前記接合部とは別に前記繊維集合体と前記不織布積層体とを部分的に接合する第２の接合部を備える構成であることを特徴とする清掃用具。
【請求項２】
請求項１に記載の清掃用具であって、
前記清掃体の前記接合部は、前記被挿入領域の前記空間部側を区画する構成であり、
前記清掃体の前記第２の接合部は、前記分割清掃部のうち前記接合部よりも前記空間部側に配設された構成であることを特徴とする清掃用具。
【請求項３】
請求項１または２に記載の清掃用具であって、
前記清掃体の前記第２の接合部は、前記分割清掃部の長尺方向に点在する複数の接合点を含み、これら複数の接合点を介して前記繊維集合体と前記不織布積層体とを部分的に接合する構成であることを特徴とする清掃用具。
【請求項４】
清掃対象の清掃に用いる清掃体であって、
長尺状の複数の分割清掃部に分割され、各分割清掃部は、当該分割清掃部の長尺方向と交差する方向に延在する繊維を複数集合させた繊維集合体と、不織布からなる複数の不織布シートが積層された不織布積層体と、互いに重ねられた前記繊維集合体及び前記不織布積層体を接合する接合部と、前記複数の不織布シート及び前記接合部によって区画され各保持体が挿入される被挿入領域と、互いに隣接する分割清掃部との間で前記清掃対象の挿入を許容する空間部とを備え、
前記分割清掃部は、当該分割清掃部の長尺方向と交差する方向に関し前記接合部を挟んで前記被挿入領域とは反対側に、前記接合部とは別に前記繊維集合体と前記不織布積層体とを部分的に接合する第２の接合部を備える構成であることを特徴とする清掃体。
【請求項５】
請求項４に記載の清掃体であって、
前記接合部は、前記被挿入領域の前記空間部側を区画する構成であり、
前記第２の接合部は、前記分割清掃部のうち前記接合部よりも前記空間部側に配設された構成であることを特徴とする清掃体。
【請求項６】
請求項４または５に記載の清掃体であって、
前記第２の接合部は、前記分割清掃部の長尺方向に点在する複数の接合点を含み、これら複数の接合点を介して前記繊維集合体と前記不織布積層体とを部分的に接合する構成であることを特徴とする清掃体。
【発明の詳細な説明】
【技術分野】
【０００１】
本発明は、清掃用具に係り、詳しくは清掃対象を清掃するための清掃体を備える清掃用具の構築技術に関するものである。
【背景技術】
【０００２】
特開２００７−２９１３６号公報では、繊維層及び掻き出しシートからなる清掃体を備える構成の清掃用具が開示されているが、清掃体を備えるこの種の清掃用具の設計に際しては、清掃対象の清掃効果向上を図るべく更なる技術が要請される。
【発明の開示】
【発明が解決しようとする課題】
【０００３】
そこで、本発明は、かかる点に鑑みてなされたものであり、清掃対象の清掃を行なうための清掃体を備える清掃用具において、清掃対象の清掃効果向上を図るのに有効な技術を提供することを課題とする。
【課題を解決するための手段】
【０００４】
上記課題を達成するため、各請求項記載の発明が構成される。これら各請求項に記載の発明は、一戸建て、マンション、ビル、工場、車両（自動車）等の室内、室外、屋外における被清掃領域（床面、壁面、窓、天井面、外壁面、柱、家具面、衣類、カーテン、ブラインド、寝具、照明、電気コード類、家電品等）や、人体の各構成部位における被清掃領域等を含む清掃対象を清掃するための清掃用具の構成に適用され得る。これら各種の清掃対象における被清掃領域は、平面として構成されてもよいし、或いは曲面、凹凸面、段差面として構成されてもよい。【０００５】
本発明に係る清掃用具は、清掃対象の清掃に用いられるものであって、清掃体ホルダ及び清掃体を少なくとも備える。【０００６】
清掃体ホルダは、長尺状の部材として構成される。この清掃体ホルダは、使用者によって把持される把持部と、把持部からそれぞれ並行して長手状に延在する複数の保持体を有する構成とされる。ここでいう「並行」に関しては、複数の保持体が並置される形態であればよく、複数の保持体が平行に配設される形態や、隣接する２つの保持体の間隔が先端側に向かうにつれて縮小される形態などが包含される。【０００７】
一方、清掃体は、長尺状の清掃体ホルダに装着される部材として構成される。この清掃体は、長尺状の複数の分割清掃部に分割され、各分割清掃部は、繊維集合体、不織布積層体、接合部、被挿入領域及び空間部を少なくとも備える。【０００８】
繊維集合体は、分割清掃部の長尺方向と交差する方向に延在する繊維を複数集合させた構成とされる。分割清掃部の長尺方向は、典型的には、清掃体に清掃体ホルダが装着された状態において、保持体の延在方向としても規定される。不織布積層体は、不織布からなる複数の不織布シートが積層された構成とされる。接合部は、互いに重ねられた繊維集合体及び不織布積層体を接合する接合部分として構成とされる。この接合部には、繊維集合体の全部または一部を接合する接合部分、不織布積層体の全部または一部を接合する接合部分、繊維集合体の全部または一部と不織布積層体の全部または一部とを接合する接合部分が包含される。被挿入領域は、複数の不織布シート及び接合部によって区画され各保持体が挿入される領域として構成される。この被挿入領域は、典型的には保持体の挿入を許容する挿入孔、スリット、切り込み等によって構成され得る。また、この清掃体では、互いに隣接する分割清掃部間に形成される空間部に清掃対象が挿入されることによって、当該清掃対象が分割清掃部間に挟まれつつ清掃される。【０００９】
本発明の清掃体では特に、分割清掃部は、当該分割清掃部の長尺方向と交差する方向に関し接合部を挟んで被挿入領域とは反対側に、接合部とは別に繊維集合体と不織布積層体とを部分的に接合する第２の接合部を備える。この第２の接合部は、繊維集合体と不織布積層体とを少なくとも接合する接合部分として構成される。この第２の接合部は、必要に応じて１または複数の接合部分として構成され得る。この第２の接合部によって、繊維集合体と不織布積層体とが部分的に接合されてもよいし、或いはこれら繊維集合体及び不織布積層体に加えて更なる別要素が接合されてもよい。この第２の接合部の配置に関しては、繊維集合体及び不織布積層体の全部または一部を接合する接合部を基準とした場合、この接合部を挟んで被挿入領域とは反対側に第２の接合部を配置することができ、例えば、分割清掃部の長尺方向に関し被挿入領域の内側を区画する接合部よりも清掃体内側に第２の接合部を配置する構成や、分割清掃部の長尺方向に関し被挿入領域の外側を区画する接合部よりも清掃体外側に第２の接合部を配置する構成などを用いることができる。【００１０】
本発明に係る清掃用具のこのような構成によれば、清掃体による清掃対象の清掃効果向上が図られる。具体的には、被挿入領域の内側を区画する接合部よりも清掃体内側に第２の接合部を配置する構成の場合には、分割清掃部間の空間部に清掃対象を挿入する形態の清掃作業時に、清掃体内側の繊維集合体が過剰に捲れ上がるのをこの第２の接合部によって繋ぎ止めて防止することで清掃効果を高めることが可能となる。また、この形態の清掃作業時に分割清掃部間の空間部に挿入された清掃対象に接触する繊維集合体の量が少なくなるのを抑え清掃対象との間の干渉効果を維持することで、保持体が清掃対象に与える疵等の悪影響を防止するとともに、保持体が繊維集合体を介して清掃対象に接触したときの心地良い接触音を維持することが可能となる。一方、被挿入領域の外側を区画する接合部よりも清掃体外側に第２の接合部を配置する構成の場合には、分割清掃部の外側領域で清掃対象を払拭する形態の清掃作業時に、清掃作業時に清掃体外側の繊維集合体が過剰に捲れ上がるのをこの第２の接合部によって繋ぎ止めて防止することで清掃効果を高めることが可能となる。【００１１】
なお、本発明に係る清掃用具において、清掃体は、一回使用を目安とした使い捨てタイプのものや、清掃対象から除去したゴミ、塵、埃などを保持しつつ複数回の使用を目安として交換を行う使い捨てタイプのものであってもよいし、或いは洗濯などを行ったうえで繰り返し使用することが可能なタイプのものであってもよい。【００１２】
本発明に係る更なる形態の清掃用具では、前記の清掃体の接合部は、被挿入領域の空間部側を区画する構成であり、また第２の接合部は、分割清掃部のうち接合部よりも空間部側に配設された構成であるのが好ましい。
このような構成によれば、特に空間部に清掃対象を導入するような形態の清掃作業時に、清掃体内側の繊維集合体が過剰に捲れ上がるのをこの第２の接合部によって繋ぎ止めて防止することで清掃効果を高めることが可能となる。【００１３】
本発明に係る更なる形態の清掃用具では、前記の清掃体の第２の接合部は、分割清掃部の長尺方向に点在する複数の接合点を含み、これら複数の接合点を介して繊維集合体と不織布積層体とを部分的に接合する構成であるのが好ましい。本構成には、分割清掃部の長尺方向に点在する複数の接合点のみによって第２の接合部が構成される態様や、当該複数の接合点に加えて別の接合部分によって第２の接合部が構成される態様等が包含される。
このような構成によれば、第２の接合部を構成する接合点の数や位置を適宜選択することによって、清掃用具の設計仕様等に応じて、繊維集合体と不織布積層体との接合度合いや繊維集合体の捲れ上がり度合いを所望のレベルに簡便に調節することが可能となる。【００１４】
本発明に係る清掃体は、清掃対象の清掃に用いる清掃体であって、前述の各清掃用具の一構成要素である清掃体と実質的に同様の構成とされる。従って、このような構成の清掃体によれば、清掃対象の清掃効果向上が図られる。
具体的には、分割清掃部間の空間部に清掃対象を挿入する形態や、分割清掃部の外側領域で清掃対象を払拭する形態の清掃作業時に、清掃体内側或いは清掃体外側の繊維集合体が過剰に捲れ上がるのをこの第２の接合部によって繋ぎ止めて防止することで清掃効果を高めることが可能となる。また、分割清掃部間の空間部に挿入された清掃対象に接触する繊維集合体の量が少なくなるのを抑え清掃対象との間の干渉効果を維持することで、保持体が清掃対象に与える疵等の悪影響を防止するとともに、保持体が繊維集合体を介して清掃対象に接触したときの心地良い接触音を維持することが可能となる。
また、清掃体のうち、第２の接合部を構成する接合点の数や位置を適宜選択することによって、清掃用具の設計仕様等に応じて、繊維集合体と不織布積層体との接合度合いや繊維集合体の捲れ上がり度合いを所望のレベルに簡便に調節することが可能となる。
本発明の他の特質、作用および効果については、本明細書、特許請求の範囲、添付図面を参照することで直ちに理解可能である。
【発明を実施するための最良の形態】
【００１５】
以上および以下の記載に係る構成ないし方法は、本発明にかかる「清掃用具」ないし「清掃体」の製造および使用、当該「清掃用具」ないし「清掃体」の構成要素の使用を実現せしめるべく、他の構成ないし方法と別に、あるいはこれらと組み合わせて用いることができる。本発明の代表的実施形態は、これらの組み合わせも包含し、添付図面を参照しつつ詳細に説明される。以下の詳細な説明は、本発明の好ましい適用例を実施するための詳細情報を当業者に教示するに留まり、本発明の技術的範囲は、当該詳細な説明によって制限されず、特許請求の範囲の記載に基づいて定められる。このため、以下の詳細な説明における構成や方法ステップの組み合わせは、広義の意味において、本発明を実施するのに全て必須であるというものではなく、添付図面の参照番号とともに記載された詳細な説明において、本発明の代表的形態を開示するに留まるものである。【００１６】
以下、本発明における「清掃用具」の一実施の形態である清掃用具１００の構成を、図面を参照しつつ詳細に説明する。この清掃用具１００は、清掃対象を清掃するのに用いられる清掃用具として構成され、典型的な清掃対象としては、一戸建て、マンション、ビル、工場、車両（自動車）等の室内、室外、屋外における被清掃領域（床面、壁面、窓、天井面、外壁面、柱、家具面、衣類、カーテン、ブラインド、寝具、照明、電気コード類、家電品等）や、人体の各構成部位における被清掃領域等を含む清掃対象が挙げられる。これら各種の清掃対象として、平面構造或いは立体構造のものが挙げられる。この場合、清掃対象における被清掃領域は、平面、曲面、凹凸面、段差面などとされる。【００１７】
本実施の形態の清掃用具１００を構成する清掃体１１０及び清掃体ホルダ１３０が互いに組み付けられる前の状態の斜視図が図１に示される。図１に示すように、この清掃用具１００は、清掃体１１０（「モップ」ともいう）と清掃体ホルダ１３０に大別される。【００１８】
清掃体１１０は、清掃対象における被清掃領域のごみ、埃、塵ないし汚れ（以下、「被清掃物」ともいう）を拭き取る拭き取り機能、被清掃物を掃き取る掃き取り機構、或いは被清掃物を掻き取る掻き取り機能を有する清掃体とされる。この清掃体１１０は、販売時或いは未使用時にはシート状ないし平板状とされる一方、使用時には解されてシート厚み方向に関し嵩高な状態とされる。詳細については後述するが、この清掃体１１０は、図１に示すように、所定の長手方向（長辺の延在方向）に長尺状に延在するような平面視が長方形のシート体であって、それぞれが同様の平面形状を有する複数のシート（後述する清掃体シート部１１６及び保持シート部１１２）が互いに重ねられた積層構造を有する。ここでいう清掃体１１０が、本発明における「清掃体」に相当する。【００１９】
なお、必要に応じては、この清掃体１１０を、平面視が正方形等の他の形状の清掃体として構成することもできる。また、平面視が長方形ないし正方形とされたこの清掃体１１０の隅部（角部）は、必要に応じて直角状或いは曲線状とされる。この清掃体１１０は、一回使用を目安とした使い捨てタイプのものや、清掃対象における被清掃領域から除去した被清掃物を刷毛部において保持しつつ複数回の使用を目安として交換を行う使い捨てタイプのものであってもよいし、或いは洗濯などを行ったうえで繰り返し使用することが可能なタイプのものであってもよい。【００２０】
清掃体ホルダ１３０は、上記構成の清掃体１１０に対し着脱自在とされており、それぞれが互いに連接するホルダ本体１４０及びハンドル部１５０からなる長尺状の部材として構成される。ここでいう清掃体ホルダ１３０が、本発明における「清掃体ホルダ」に相当する。ハンドル部１５０は、長尺状に延在するハンドル本体１５１と、このハンドル本体１５１とホルダ本体１４０との間に介在する連結部１５１ａを備える。ハンドル本体１５１は、使用者によって把持される部位とされる。連結部１５１ａは、ハンドル本体１５１とホルダ本体１４０を固定状に連結する部位を構成している。この清掃体ホルダ１３０の構造に関しては、ホルダ本体１４０及びハンドル部１５０（ハンドル本体１５１及び連結部１５１ａ）の各々を別体構造として組み付け自在とする構成や、ホルダ本体１４０及びハンドル部１５０を連結部１５１ａとともに一体成型とする構成、またホルダ本体１４０、ハンドル本体１５１及び連結部１５１ａのいずれか二つを一体成型とする構成などを適宜採用することができる。ここでいうハンドル部１５０ないしハンドル本体１５１が、本発明における「把持部」を構成する。【００２１】
ホルダ本体１４０は、清掃体１１０を着脱自在に保持する機能を有する部位とされる。このホルダ本体１４０には、ハンドル部１５０側の基部１４１に左右一対の保持体１４２，１４２が設けられている。ここでいう左右一対の保持体１４２，１４２とは、ハンドル部１５０の長手方向を前後方向として規定した場合、ハンドル部１５０の長手方向と交差する左右方向に関し、２つの保持体１４２，１４２が並置された態様として規定される。【００２２】
左右一対の保持体１４２，１４２は、基部１４１から前方に向けて所定の間隔を空けて同一平面上にて平行に（並行して）延在する長手状とされ、典型的には棒状ないし板状の部位として構成される。すなわち、ホルダ本体１４０は、その先端側が二股状に分かれたフォーク形状となっている。各保持体１４２の横幅は、典型的には長手方向に関し一定或いは先端に向けて狭幅状に設定される。また、各保持体１４２には、その外縁部から保持体外方へと突出する突片１４３が設けられている。この突片１４３は、各保持体１４２の長手方向に関し１または複数設けられるのが好ましい。これにより、各保持体１４２のうち突片１４３が設けられた部位は、当該保持体の各部位のうち左右方向の径が最も拡張された拡径部とされる。ここでいう保持体１４２，１４２が、本発明における「保持体」を構成する。二本の保持体１４２，１４２の断面形状に関しては、断面が長方形、正方形、円形、多角形のものを適宜採用することが可能である。【００２３】
なお、本明細書中において、各保持体１４２の長尺状の延在方向を、清掃用具１００ないし清掃体１１０に関する「清掃体前後方向」として規定し、また二本の保持体１４２，１４２の並置方向、或いは二本の保持体１４２の延在方向と交差する方向を、清掃用具１００ないし清掃体１１０に関する「清掃体左右方向」として規定する。また、清掃体ホルダ装着時に保持体１４２の先端側が配設される領域を「清掃体前端領域」或いは「清掃体前端側」と規定し、保持体１４２の基端側が配設される領域を「清掃体後端領域」或いは「清掃体後端側」と規定する。【００２４】
各保持体１４２は、清掃体１１０に形成された対応する被挿入領域（後述する挿入孔１１５）への挿入が可能とされており、この挿入状態において清掃体１１０を保持する機能を有する。この挿入状態においては、各保持体１４２が清掃体１１０側の被挿入領域に密着状に摺接して嵌まり込み、清掃体１１０に対し止着作用を付与する。更に、この挿入状態においては、各保持体１４２の拡径部である突片１４３が清掃体１１０の抜け止めとして作用する。これにより、各保持体１４２を清掃体１１０側の被挿入領域に挿入した挿入状態では、清掃体１１０がホルダ本体１４０によって抜け止めされつつ確実に保持されることとなる。【００２５】
次に、上記清掃体１１０の具体的な構造に関し、図１に加え更に図２〜図７を参照しつつ詳細に説明する。ここで、図２には、図１中の清掃体１１０を各積層要素に分解した状態の斜視図が示される。また、図３は、図１中の清掃体１１０の保持シート部１１２の構成を示す斜視図であり、図４は、図３中の保持シート部１１２の構成を示す平面図である。また、図５には、図１中の清掃体１１０のＡ−Ａ線に関する断面構造が示され、図６には、図１中の清掃体１１０のＢ−Ｂ線に関する断面構造が示され、図７には、図１中の清掃体１１０のＣ−Ｃ線に関する断面構造が示される。【００２６】
図２に示すように、本実施の形態の清掃体１１０は、保持シート部１１２の両面に清掃体シート部１１６，１１６が積層状に重ねられた構成とされる。この清掃体１１０は、図３及び図４に示すように清掃体前後方向に延在するスリット状の空間部１２５を備えている。この空間部１２５は、典型的には保持シート部１１２の中央部分が清掃体前後方向に関し直線状、曲線状ないし波線状に切り込まれた切り込み部分として構成される。ここでいう空間部１２５が、本発明における「空間部」に相当する。この空間部１２５は、典型的には清掃体前後方向に直線状、曲線状、或いは波線状に延在する構成とされる。【００２７】
また、この清掃体１１０は、図５及び図６に示すように、空間部１２５を挟んで左右一対の長尺状の分割清掃部１２４，１２４に分割される。ここでいう左右一対の分割清掃部１２４，１２４とは、清掃体前後方向と交差する左右方向に関し２つの分割清掃部１２４，１２４が並置された態様として規定される。詳細については後述するが、分割清掃部１２４，１２４間に形成される空間部１２５は、清掃対象の挿入を許容する空間部としての機能を有する。【００２８】
保持シート部１１２は、特に図３に示すように、２片の保持シート１１４，１１４の間に基材シート１１３を介在させ、またこの基材シート１１３が各保持体１４２の挿入側に保持シート１１４よりも若干突出するように設定される。そして、図５及び図６に示すように、この保持シート部１１２は、分割清掃部１２４ごとに第１接合部１２１（「融着部」ともいう）によって互いに融着接合されるように構成されている。この第１接合部１２１は、その融着接合部分が清掃体前後方向に沿って連続状に延在する単一の接合線（「融着線」ともいう）とされる。この保持シート部１１２において、２片の保持シート１１４，１１４が互いに対向することによって形成される対向空間は、各保持体１４２の挿入を許容するべく分割清掃部１２４の長尺方向に長手状に延在する挿入孔１１５としての挿入空間とされる。このとき、基材シート１１３は、保持シート１１４よりも各保持体１４２の挿入側に突出することによって、挿入孔１１５の開口部１１５ａへの各保持体１４２の円滑な誘導を可能とする。分割清掃部１２４の長尺方向は、典型的には、清掃体１１０に清掃体ホルダ１３０が装着された状態において、保持体１４２の延在方向としても規定される。ここでいう挿入孔１１５が、本発明における「被挿入領域」に相当する。この挿入孔１１５を、保持体の挿入を許容する挿入孔以外の被挿入領域、例えばスリット、切り込み等に置き換えることもできる。【００２９】
一方、各清掃体シート部１１６は、図２に示すように、３つの繊維集合体１１７及び表面シート１１８が積層状に重ねられた状態で、保持シート部１１２の両面（上面及び下面）に配設されるように構成されている。このとき、表面シート１１８が清掃体１１０の表面に露出するように各清掃体シート部１１６が配設される。なお、必要に応じて、保持シート部１１２の片面のみに清掃体シート部１１６が配設された構成を採用することもできる。【００３０】
また、各清掃体シート部１１６の３つの繊維集合体１１７のうち保持シート部１１２に面する繊維集合体１１７は、図３、図４及び図６に示す第２接合部１２２によって、保持シート部１１２と互いに融着接合されるように構成されている。この第２接合部１２２は、その融着接合部分が清掃体前後方向に沿って断続状に延在する接合点（「融着点」ともいう）の集合体として構成される。【００３１】
更に、上記の保持シート部１１２及び清掃体シート部１１６，１１６は、保持シート部１１２の両面に清掃体シート部１１６，１１６が積層状に重ねられた状態で、第３接合部１２３によって互いに融着接合されるように構成されている。この第３接合部１２３は、その融着接合部分が清掃体前後方向に沿って連続状に延在する複数の接合線（「融着線」ともいう）の集合体として構成される。【００３２】
本実施の形態では、上記構成の第１〜第３接合部１２１〜１２３による融着接合が、少なくとも３つの機能を果たす。第１の機能（以下、「接合部の第１の機能」ともいう）は、２片の保持シート１１４，１１４の間に、各保持体１４２の所望の形態での挿入を許容する挿入孔１１５を形成する機能とされる。第２の機能（以下、「接合部の第２の機能」ともいう）は、保持シート部１１２及び清掃体シート部１１６，１１６を互いに接合することによって保持シート部１１２上に、清掃体シート部１１６，１１６からなる所望の形状の刷毛部を形成する機能とされる。第３の機能（以下、「接合部の第３の機能」ともいう）は、保持シート部１１２と清掃体シート部１１６の繊維集合体１１７の一部とを互いに接合することによって、繊維集合体１１７の自由端が必要以上に保持シート部１１２から離間するのを阻止する機能とされる。なお、上記構成の第１〜第３接合部１２１〜１２３の接合形態に関しては、融着接合に代えて或いは加えて、接着、係着、縫着などの接合形態を用いてもよい。【００３３】
ここで、第１〜第３接合部１２１〜１２３による第１〜第３の機能に関し、図３及び図４を参照しつつ詳細に説明する。【００３４】
（接合部の第１の機能）
図３及び図４に示すように、本実施の形態の第１接合部１２１及び第３接合部１２３が、分割清掃部１２４の長尺方向に長手状に延在する挿入孔１１５の左右を区画することによって、前述の接合部の第１の機能が達成される。【００３５】
具体的には、第１接合部１２１は、挿入孔１１５の内側（空間部１２５側）を区画する接合部分であって、清掃体１１０の清掃体前後方向（分割清掃部１２４の長尺方向）に延在する接合部分とされる。この第１接合部１２１は、挿入孔１１５の開口部１１５ａ側から清掃体１１０の清掃体前端に向けて順に配設された、互いに連接した接合線１２１ａ、接合線１２１ｂ及び接合線１２１ｃを含む構成とされる。すなわち、この第１接合部１２１では、これらの接合線１２１ａ、接合線１２１ｂ及び接合線１２１ｃによって連続した単一の延在線が形成される。このうち接合線１２１ａ及び接合線１２１ｃは、挿入孔１１５への保持体１４２の挿入方向に概ね合致するように直線状に延在し、且つ接合線１２１ｃが接合線１２１ａよりも外側（空間部１２５とは反対側）に配設されている。そして接合線１２１ｂは、接合線１２１ａと接合線１２１ｃの端部同士を接続するように傾斜状に形成された中間部分の接合線として構成される。【００３６】
一方、第３接合部１２３は、挿入孔１１５のうち、この挿入孔１１５を挟んで第１接合部１２１とは反対側を区画する接合部分であって、清掃体１１０の清掃体前後方向（分割清掃部１２４の長尺方向）に沿って延在する接合部分とされる。この第３接合部１２３は、開口部１１５ａ側から清掃体１１０の前側に向けて順に配設された、接合線１２３ａ、接合線１２３ｂ及び接合線１２３ｃと、更に接合線１２３ａの内側に配設された接合線１２３ｄとを含む構成とされる。本実施の形態では、この第３接合部１２３のうち、接合線１２３ａ、接合線１２３ｂ及び接合線１２３ｃによって連続した単一の延在線が形成されるように構成されている。なお、必要に応じては、接合線１２３ａ、接合線１２３ｂ及び接合線１２３ｃはそれぞれ、非接合部分を隔てて互いに離間するように構成されてもよく、また接合線１２３ｄを省略することもできる。【００３７】
また本実施の形態では、上記構成の第１接合部１２１や第３接合部１２３の寸法に関し所定の関係が成り立つのが好ましい。具体的には、図４に示すように、空間部１２５を挟んで対向する左右一対の第１接合部１２１，１２１に関し、一方の第１接合部１２１の接合線１２１ｃと、他方の第１接合部１２１の接合線１２１ｃとの間隔Ｌ１が、左右一対の保持体１４２，１４２の間隔Ｌ３よりも大きく（Ｌ１＞Ｌ３）なるように設定されるのが好ましい。特に好ましくは、間隔Ｌ１が間隔Ｌ３の１７５〜３００％の長さとなるように寸法設定する。このとき、左右一対の第１接合部１２１，１２１は、挿入孔１１５の内側を区画するため、この第１接合部１２１，１２１に係る間隔Ｌ１は、互いに隣接する挿入孔１１５，１１５の間隔としても規定される。このとき、挿入孔１１５は、当該挿入孔１１５のうち第１接合部１２１，１２１が設けられた部位（拡張部）にて延在する第１の挿入孔構成部１１５ｂと、前記の開口部１１５ａと、これら第１の挿入孔構成部１１５ｂと開口部１１５ａとの間に連接して傾斜状に延在する第２の挿入孔構成部１１５ｃとを含む構成とされる。【００３８】
このような寸法設定によれば、清掃体１１０の挿入孔１１５に清掃体ホルダ１３０の保持体１４２が挿入されたとき、保持体１４２，１４２の間隔Ｌ３にしたがって清掃体１１０全体（保持シート部１１２及び清掃体シート部１１６）が清掃体内方ないし清掃体中央部へと寄せ集められることとなる。そして、左右一対の第１接合部１２１，１２１が設けられた部位（拡張部）において互いに隣接する分割清掃部１２４，１２４同士の繊維集合体が近接方向に移動することで空間部１２５にて分割清掃部１２４の長尺方向と交差する方向に関し重なり合い、後述する重なり領域１１９を形成する。これにより、分割清掃部１２４，１２４によって所望のボリューム感を持たせことが可能となり、分割清掃部１２４，１２４間の空間部１２５に挿入される清掃対象が相対的に小さい場合であっても、この清掃対象に適正な圧力を作用させることで充分な清掃効果を得ることが可能とされる。【００３９】
このような清掃効果をより確実なものとするべく、上記構成のホルダ本体１４０の二本の保持体１４２，１４２は、少なくとも互いに離間する離間方向に弾性変形可能な弾性材、典型的には柔軟性及び保形性を兼ね備えたプラスチック材料等によって構成されるのが好ましい。これにより、清掃体１１０全体が保持体１４２の保形性によって清掃体内方ないし清掃体中央部へと確実に寄せ集められ、また空間部１２５に導入された清掃対象は保持体１４２の柔軟性によって確実に払拭される。【００４０】
また、清掃体ホルダ１３０の保持体１４２を非金属材料によって構成することで、分割清掃部１２４，１２４の間の空間部１２５に挿入される清掃対象が保持体１４２，１４２間の寸法よりも大きい場合であっても、保持体１４２が清掃対象を傷つけることなく充分な清掃効果を得ることが可能とされる。【００４１】
なお、本実施の形態では、前記の間隔Ｌ１と間隔Ｌ３との関係をＬ１＞Ｌ３に設定したうえで、更に清掃体前後方向に関する中央線（空間部１２５の延在線）と第３接合部１２３との間隔Ｌ２との関係について、（Ｌ１／２−Ｌ３／２）＜Ｌ２という関係が成り立つように設定するのが好ましい。このような設定は、清掃体１１０の挿入孔１１５に清掃体ホルダ１３０の保持体１４２が挿入されたとき、一方の分割清掃部１２４の内側の縁部（空間部１２５側の縁部）が、他方の分割清掃部１２４の第３接合部１２３を越えて寄せ集められることのない構成に対応している。【００４２】
従って、このような寸法設定によれば、分割清掃部１２４，１２４によって過剰にボリューム感が付与されるのを抑え、また分割清掃部１２４同士の刷毛部（保持シート部１１２及び清掃体シート部１１６）が絡み過ぎて清掃に適さない形状になるのを防止するのに有効とされる。【００４３】
（接合部の第２の機能）
また、図３及び図４に示すように、本実施の形態では、単一の延在線として形成される第３接合部１２３のうち、接合線１２３ａ、接合線１２３ｂ及び接合線１２３ｃを互いに段差状に配設する構成によって、前述の接合部の第２の機能が達成される。【００４４】
具体的には、この第３接合部１２３は、清掃体ホルダ装着時に保持体１４２の先端側が配設される清掃体前端側において分割清掃部１２４の長尺方向に直線状に延在する接合線１２３ｃと、この接合線１２３ｃよりも清掃体後端側において分割清掃部１２４の長尺方向に直線状に延在する接合線１２３ｂと、この接合線１２３ｂよりも清掃体後端側において分割清掃部１２４の長尺方向に直線状に延在する接合線１２３ａを含む構成とされる。そして、接合線１２３ａと接合線１２３ｃとの間に形成された接合線１２３ｂが、接合線１２３ａ及び接合線１２３ｃよりも清掃体外側（空間部１２５とは反対側）に配設されている。また、この第３接合部１２３では、接合線１２３ａと接合線１２３ｂとの間、及び接合線１２３ｂと接合線１２３ｃとの間に、それぞれ傾斜状の接合部分が介在するように構成されている。【００４５】
このような構成によれば、第３接合部１２３から保持シート部１１２及び清掃体シート部１１６の外側自由端までの距離が、清掃体前後方向に関し清掃体前端側及び清掃体後端側が清掃体中央部よりも長くなる。これにより、清掃体１１０の挿入孔１１５に清掃体ホルダ１３０の保持体１４２が挿入されたとき、第３接合部１２３は、接合線１２３ａ、接合線１２３ｂ及び接合線１２３ｃによって形成される一連の形状が外側に向けて凸の緩やかな円弧を描き、清掃体全体が丸みを帯びた形状となる。清掃体のこのような形状によれば、清掃体全体が丸みを帯びることで使用者に対し清掃体の柔らかな印象を付与するとともに、清掃作業に適した形状や清掃し易い形状であることを情緒的にアピールすることができ、以って使用者の清掃意欲を駆り立てるのに有効となる。【００４６】
また、上記構成の第３接合部１２３によれば、各分割清掃部１２４の第３接合部１２３から清掃体外方へと延在する繊維集合体の長さは、接合線１２３ａに対応する清掃体後側及び接合線１２３ｃに対応する清掃体前端側の方が、接合線１２３ｂに対応する清掃体中央部よりも長くなる。一方、各分割清掃部１２４の第３接合部１２３から清掃体内方へと延在する繊維集合体の長さは、接合線１２３ａに対応する清掃体後端側及び接合線１２３ｃに対応する清掃体前端側の方が、接合線１２３ｂに対応する清掃体中央部よりも短くなる。【００４７】
このような構成によれば、清掃体前端側ないし清掃体後端側の隅部（角部）は、繊維集合体の長さが相対的に長く清掃対象に対する当たりがソフトであり、また清掃体前端側において清掃体内方へと延在する繊維集合体の長さが相対的に短いため、分割清掃部１２４，１２４間の空間部１２５に清掃対象を挿入する挿入動作が容易となる（空間部１２５に清掃対象を挟み易い）。【００４８】
なお、本実施の形態では、上記構成の第３接合部１２３における各接合線の寸法に関し所定の関係が成り立つのが好ましい。典型的には、清掃体後端部から分割清掃部１２４の１５〜３０％の範囲で接合線１２３ａが延在し、また清掃体前端部から分割清掃部１２４の１５〜３０％の範囲で接合線１２３ｃが延在するように設定し、また接合線１２３ａと接合線１２３ｂが、或いは接合線１２３ｃと接合線１２３ｂが、分割清掃部１２４の長尺方向と交差する方向に関し互いに重なり合うように構成することができる。【００４９】
（接合部の第３の機能）
また、図３及び図４に示すように、本実施の形態では、第２接合部１２２が保持シート部１１２と清掃体シート部１１６の繊維集合体１１７の一部とを互いに接合する構成によって、前述の接合部の第３の機能が達成される。【００５０】
具体的には、この第２接合部１２２は、分割清掃部１２４の長尺方向（清掃体前後方向）と交差する方向に関し、第１接合部１２１を挟んで挿入孔１１５とは反対側（清掃体内側）に配設される接合部であって、接合点が清掃体前後方向に複数点在する接合部として構成される。本構成では、第１接合部１２１は、挿入孔１１５のうち空間部１２５側を区画する一方、第２接合部１２２は、分割清掃部１２４のうち第１接合部１２１よりも空間部１２５側に配設された構成とされる。この第２接合部１２２の各接合点において、保持シート部１１２とこの保持シート部１１２に対向する繊維集合体１１７とが部分的に接合されている。この第２接合部１２２は、必要に応じて１または複数の接合点によって構成され得る。ここでいう第１接合部１２１が、本発明における「接合部」を構成し、また、ここでいう第２接合部１２２が、本発明における「第２の接合部」、「複数の接合点」を構成する。【００５１】
このような構成によれば、特に空間部１２５に清掃対象を導入する形態での清掃作業時に、清掃体内側の繊維集合体１１７が過剰に捲れ上がるのを、この第２接合部１２２によって繋ぎ止めて防止することで清掃効果を高めることが可能となる。また、分割清掃部１２４，１２４間の空間部１２５に挿入された清掃対象に接触する繊維集合体１１７の量が少なくなるのを抑えて清掃対象との間の干渉効果を維持することで、清掃体ホルダ１３０の保持体１４２が清掃対象に与える疵等の悪影響を防止するとともに、清掃体ホルダ１３０の保持体１４２が繊維集合体１１７を介して清掃対象に接触したときの心地良い接触音を維持することが可能となる。【００５２】
第２接合部１２２によるこのような接合部の第３の機能は、保持シート部１１２と清掃体シート部１１６の繊維集合体１１７とを接合する構成以外に、保持シート部１１２のうち空間部１２５に面する部位を、分割清掃部１２４の長尺方向（清掃体前後方向）と交差する方向に短冊状に切り込むとともに、この短冊片が上述の干渉効果を発揮するよう短冊片に材質上の剛性を付与する構成によっても達成される。【００５３】
なお、上記構成の第２接合部１２２に関し、分割清掃部１２４の長尺方向と交差する方向に関し第３接合部１２３を挟んで挿入孔１１５とは反対側、すなわち清掃体外側に第２接合部１２２を配設することもできる。この場合、特に分割清掃部１２４の外側部分によって清掃対象を清掃する形態での清掃作業時に、清掃体外側の繊維集合体１１７が過剰に捲れ上がるのをこの第２接合部１２２によって繋ぎ止めて防止することで、清掃対象の清掃効果を高めることが可能となる。【００５４】
上記の保持シート１１４及び表面シート１１８は、いずれもその左右方向の両端側にジクザグ状にカットされた短冊片（短冊部分）１１４ａ及び１１８ａを複数備える構成であるのが好ましい。この場合、保持シート１１４及び表面シート１１８は、短冊シートとも称呼される。ここでいう短冊片１１４ａ及び１１８ａが、本発明における「分割片」に相当する。このような構成の短冊片１１４ａ，１１８ａは、ごみを引っ掛けて捕捉し易く、また凹部に入り込んだごみを描き出し易い、清掃機能の高い構造として特に効果的である。なお、短冊片１１４ａ，１１８ａの形状に関しては、ジクザグ状、直線状、曲線状などのうちの単一種類或いは複数種類の形状を適宜用いることができる。本実施の形態では、これら短冊片１１４ａ及び１１８ａは、いずれも分割清掃部１２４の長尺方向（保持体１４２の延在方向と交差する方向）に延在する構成とされる。【００５５】
次に、上記基材シート１１３、保持シート１１４及び表面シート１１８を形成する不織布の構成、及び繊維集合体１１７を形成する繊維集合体の構成につき詳細に説明する。【００５６】
（不織布の構成）
基材シート１１３、保持シート１１４及び表面シート１１８に関しては、いずれも典型的には熱溶融性繊維（熱可塑性繊維）からなるシート状の不織布を使用することができる。従って、これら基材シート１１３及び保持シート１１４は、「不織布シート」とも称呼される。ここでいう基材シート１１３、保持シート１１４及び表面シート１１８が、本発明における「不織布シート」を構成している。この不織布は、機械的、化学的、熱的などの処理によって繊維を固着したり絡み合わせたりして作られるシート状の構成物であって、熱可塑性繊維を一部に含み融着（溶着）が可能な不織布とされ、複数の短冊片を有する形状の不織布として構成される。熱可塑性繊維（熱溶融繊維）としては、ポリエチレン、ポリプロピレン、ポリエチレンテレフタレート等を使用することができる。【００５７】
また、この不織布は、実用的な強度を備える１０〜１００ｇ／ｍ２の熱可塑性繊維によって構成されるのが好ましい。この不織布としては、エアースルー法、スパンボンド法、サーマルボンド法、スパンレース法、ポイントボンド法、メルトブロー法、ステッチボンド法、ケミカルボンド法、ニードルパンチ法等により製造されたものを適宜使用することができる。この不織布が、本発明における「不織布」に相当する。なお、清掃時の掃き出し機能を向上させるためには、剛性の高い不織布を用いるのが好ましい。また、不織布に代えて或いは加えて、ウレタン、スポンジ、織布、ネット、ワリフなどの素材を短冊状に加工したものを用いることもできる。【００５８】
（繊維集合体の構成）
一方、繊維集合体１１７は、繊維による単一の繊維構造体や、繊維が長さ方向および／または径方向にそろった繊維構造体（撚糸、紡績糸、複数の長繊維が部分的に接続された糸材など）、ないし当該繊維構造体の集合体とされ、熱可塑性繊維を一部に含み融着（「溶着」ともいう）が可能な繊維集合体として構成される。この繊維集合体１１７を形成する繊維とは、糸、織物などの構成単位であり、太さに比して十分な長さを持つ、細くてたわみやすい形態のものとして規定され、典型的には長い連続状の繊維が長繊維（フィラメント）とされ、短い繊維が短繊維（ステープル）とされる。この繊維集合体１１７の繊維は、保持シート１１４及び表面シート１１８の短冊片１１４ａ及び１１８ａと同様に、保持体１４２の延在方向と交差する方向に長尺状に延在する構成とされる。この繊維集合体１１７は、複数の繊維が束状に形成された「繊維束」とも称呼される。ここでいう繊維集合体１１７が、本発明における「繊維集合体」に相当する。【００５９】
なお、本実施の形態では、三つの繊維集合体１１７が積層状に重ねられる場合について記載しているが、この繊維層の数は必要に応じて１または複数とすることができる。この繊維集合体１１７は、所定の平面や曲面による面構造を有するとともに、ある程度の厚みを有する立体形状として、或いは薄肉シート形状として構成されるのが好ましい。ここでいう「繊維集合体」は、典型的にはポリエチレン（ＰＥ）、ポリプロピレン（ＰＰ）、ポリエチレンテレフタレート（ＰＥＴ）、ナイロン、レーヨンなどを材質とし、実用上はトウを開繊することによって得られる長繊維（フィラメント）の集合体がこの繊維集合体として多用される。特には、芯部分がポリプロピレン（ＰＰ）或いはポリエチレンテレフタレート（ＰＥＴ）であり、この芯部分の外面を覆う鞘部分がポリエチレン（ＰＥ）の複合繊維を用いて繊維集合体が構成されるのが好ましい。この繊維集合体を形成する長繊維は、その繊度が０．５〜６６ｄｔｅｘとされるのが好ましい。また、各繊維集合体は概ね同様の繊度の繊維から構成されてもよいし、或いは各繊維集合体が異なる繊度の繊維を含む構成であってもよい。また、熱可塑性樹脂を含む繊維を用いる場合、少なくとも２種類以上の異なった融点の樹脂（例えば融点差が２０℃以上の樹脂）を使用するのが好ましい。【００６０】
また、清掃時の掃き出し機能を向上させるためには、剛性の高い繊維、すなわち繊度が高い繊維を含む繊維集合体を用いるのが好ましい。また、繊維集合体は、捲縮繊維を有する構成されるのが好ましい。この場合、１インチあたりのクリンプ数が５〜３０の倦縮繊維を用いるのが好ましい。ここでいう捲縮繊維は、所定の巻き縮み処理が付与された繊維として構成され、繊維同士が絡み易い構造とされる。このような捲縮繊維を用いると、繊維集合体が清掃体ホルダ装着前の状態よりも嵩高となり、更に捲縮部分にごみを取り込み易い構造とされる。本構造は、特にトウ繊維から形成された捲縮繊維を用いることによって実現され得る。また、ゴミ、塵、埃などを確実に吸着するべく、着塵油剤を含有する繊維を用いるのが好ましい。【００６１】
なお、繊維集合体として、フィルムをテープ状にスリットし、縦方向へ延伸させたフラットヤーンや、スプリットヤーンと称呼される熱可塑性フィルム樹脂を樹脂の配向方向と直交する方向にかきわけて、繊維状となったフィルムが網目状に接合されているものを使用してもよい。或いは、繊維集合体として、エアースルー不織布などの嵩高で繊維密度の低い不織布を使用してもよい。【００６２】
また、清掃体１１０の構成要素の種類や数等に関しては、上記の例に限定されるものではなく、必要に応じて種々選択が可能である。【００６３】
上記構成の清掃用具１００において、清掃体１１０及び清掃体ホルダ１３０を互いに組み付けた状態に関しては、図８〜図１０が参照される。ここで図８には、図１中の清掃体１１０のＡ−Ａ線に関する断面構造であって、清掃体ホルダ装着前及び清掃体ホルダ装着後の様子が模式的に示されている。また、図９には、図１中の清掃体１１０のＢ−Ｂ線に関する断面構造であって、清掃体ホルダ装着前及び清掃体ホルダ装着後の様子が模式的に示されている。また、図１０には、清掃体ホルダ１３０が組みつけられた状態の清掃体１１０の斜視図が示されている。【００６４】
図８及び図９に示すように、清掃体ホルダ装着前においては、前述のように清掃体１１０の左右の挿入孔１１５，１１５の間隔Ｌ１が、二本の保持体１４２，１４２の間隔Ｌ３を上回るように設定されている。一方、二本の保持体１４２，１４２が左右の挿入孔１１５，１１５に挿入されると、左右一対の分割清掃部１２４は、二本の保持体１４２，１４２の間隔Ｌ３にしたがって互いに近接する方向に変形する。その結果、清掃体ホルダ装着後においては、左右一対の分割清掃部１２４の互いの対向部分には、保持シート１１４、繊維集合体１１７及び表面シート１１８が面接触し、或いは重なり合い絡み合った重なり領域１１９が形成される。【００６５】
これにより、互いに隣接する分割清掃部１２４，１２４同士の繊維集合体１１７が少なくとも重なり合うことによって形状保持性能が付与され、清掃体１１０全体が垂れ下がったり、空間部１２５に不要な隙間が形成されるのを防止することが可能となる。また、清掃対象を分割清掃部１２４，１２４間に包み込むようにして清掃対象と分割清掃部１２４との間の接触面積が増やすことができ、空間部１２５に挿入される清掃対象の清掃効果を高めることが可能となる。更に、空間部１２５に不要な隙間が形成されて見栄えが低下するのを防止することで、作業者に対し清掃効果の高い清掃体１１０であることをアピールすることができ、作業者の清掃意欲を高めるのに効果的である。【００６６】
なお、清掃体１１０の分割清掃部１２４，１２４は、購入時ないし使用前においては横断面が長方形状のシート状とされ、実際の清掃作業に際し各分割清掃部１２４は作業者の解し操作によって解されて、或いは毛羽立たせることによって、シート厚み方向に関しボリューム感が高められた嵩高な状態とされるのが好ましい。この解し操作は、清掃体１１０に清掃体ホルダ１３０が装着されるホルダ装着前ないしホルダ装着時に行なわれてもよいし、或いは清掃体１１０に清掃体ホルダ１３０が既に装着されたホルダ装着後に行なわれてもよい。【００６７】
本実施の形態では、各分割清掃部１２４における保持シート１１４、繊維集合体１１７及び表面シート１１８は、いずれも所定の接合部、特には第３接合部１２３を中心として分割清掃部１２４の長尺方向と交差する方向（保持体１４２の延在方向と交差する方向）に関し同様の長さを有している。従って、分割清掃部１２４，１２４が作業者によって解し操作されると、図８及び図９に示すように、各分割清掃部１２４は、保持体１４２の延在方向と交差する方向に関する断面が略円形ないし略楕円形とされた嵩高状態を形成する。この嵩高状態では、保持シート１１４及び表面シート１１８の短冊片１１４ａ及び１１８ａや、繊維集合体１１７の繊維は、分割清掃部１２４の長尺方向と交差する方向（保持体１４２の延在方向と交差する方向）の断面に関し、第３接合部１２３を中心として放射方向に延在する。また、二本の保持体１４２，１４２が左右の挿入孔１１５，１１５に挿入された状態では、左右一対の分割清掃部１２４は、二本の保持体１４２，１４２の間隔にしたがって互いに近接する方向に変形し、保持シート１１４、繊維集合体１１７及び表面シート１１８が面接触し或いは重なり合い絡み合った重なり領域１１９を形成することとなる。【００６８】
また、図９に示すように、各分割清掃部１２４のうち空間部１２５に面する部位の清掃体シート部１１６では、この清掃体シート部１１６の繊維集合体１１７の一部が第２接合部１２２によって保持シート部１１２と接合されているため、清掃作業時に空間部１２５に清掃対象が導入された場合でも、繊維集合体１１７が上方ないし下方に過剰に捲れ上がるのが防止される。【００６９】
上記のように、清掃体ホルダ１３０の装着過程における清掃体１１０の状態に関しては、図１０〜図１２が参照される。ここで図１０は、本実施の形態の清掃体１１０のうち保持シート部１１２の構成を示す平面図であって、保持体１４２，１４２の先端部が挿入孔１１５，１１５へと挿入された挿入初期の状態とされ、図１１は、本実施の形態の清掃体１１０のうち保持シート部１１２の構成を示す平面図であって、図１０の挿入初期の状態から更に保持体１４２，１４２が挿入された状態に相当する図である。また、図１２は、本実施の形態の清掃体１１０のうち保持シート部１１２の構成を示す斜視図であって、保持体１４２，１４２の挿入孔１１５，１１５への挿入が完了した状態に相当する図である。【００７０】
図１０に示すように、各保持体１４２が開口部１１５ａから挿入孔１１５へと挿入開始された挿入初期では、第１接合部１２１の上述の寸法設定に基づいて、各保持体１４２の先端部がまず第１接合部１２１の接合線１２１ｂ（斜面）に当接する。保持体１４２，１４２の更なる挿入動作に伴い、各保持体１４２が第２の挿入孔構成部１１５ｃにおいて第１接合部１２１の傾斜状の接合線１２１ｂに押し付けられるため、挿入孔１１５，１１５が互いに近接する方向に移動する。このとき、接合線１２１ｂの傾斜構造によって、各保持体１４２の第１接合部１２１に対する円滑な摺動が可能とされる。【００７１】
引き続いて、図１１に示すように、各保持体１４２が挿入孔１１５のうち第１接合部１２１の接合線１２１ｃが形成された領域（第１の挿入孔構成部１１５ｂ）まで挿入されると、接合線１２１ｃ，１２１ｃ間の間隔が保持体１４２，１４２間の間隔に実質的に合致するように、挿入孔１１５，１１５が押し縮められる。すなわち、第１接合部１２１の接合線１２１ｂは、各保持体１４２を挿入孔１１５のうち接合線１２１ｃが形成された領域へと誘導するとともに、このときの各保持体１４２の挿入し易さを実現する。【００７２】
そして、図１２に示すように、保持体１４２，１４２の挿入孔１１５，１１５への挿入が完了すると、清掃体１１０は分割清掃部１２４の長尺方向（清掃体前後方向）と交差する方向に関し清掃体前端部に向けて幅寸法が狭められた幅狭状とされる。これにより、特に清掃体１１０の清掃体前端部を使用した、込み入った箇所の清掃や、細い隙間に清掃体１１０全体を差し込んでの清掃が可能となる。また、前述のように、この保持体挿入時の第３接合部１２３は、図１２中の矢印で示すように、接合線１２３ａ、接合線１２３ｂ及び接合線１２３ｃによって形成される一連の形状が、全体として外側（空間部１２５とは反対側）に向けて凸の緩やかな円弧を描き、清掃体全体が丸みを帯びた形状となるため、使用者に対し清掃体の柔らかな印象を付与するとともに、清掃作業に適した形状や清掃し易い形状であることが情緒的にアピールされる。【００７３】
また、前述のように、第３接合部１２３が分割清掃部１２４の長尺方向と交差する方向に関し延在位置の異なる３つの接合線１２３ａ〜１２３ｃを含む構成によって、分割清掃部１２４の内方の繊維集合体（刷毛部）の繊維長さないし繊維量が、接合線１２３ｂに対応した清掃体中央部よりも接合線１２３ｃに対応した清掃体前端部の方が下回る。これにより、空間部１２５に清掃対象を挟み込む清掃形態においては、清掃体前端部の繊維が清掃対象に干渉し過ぎることがなく、清掃対象の挟み動作を円滑に行うことが可能となる。【００７４】
また、第３接合部１２３が分割清掃部１２４の長尺方向と交差する方向に関し延在位置の異なる３つの接合線１２３ａ〜１２３ｃを含む構成によって、分割清掃部１２４の清掃体外側の繊維集合体（刷毛部）の繊維長さないし繊維量が、接合線１２３ｂに対応した清掃体中央部よりも接合線１２３ｃに対応した清掃体前端部の方が上回る。これにより、清掃体１１０の表面を介して清掃対象を清掃する清掃形態においては、清掃対象に対する清掃体前端部の繊維の当たりがソフトになる。【００７５】
（他の実施の形態）
なお、本発明は上記の実施の形態のみに限定されるものではなく、種々の応用や変形が考えられる。例えば、上記実施の形態を応用した次の各形態を実施することもできる。【００７６】
上記実施の形態では、分割清掃部１２４の長尺方向に関し挿入孔１１５の内側を区画する接合部よりも清掃体内側に第２接合部１２２を配置する構成について記載したが、本発明では、分割清掃部１２４の長尺方向に関し挿入孔１１５の外側を区画する接合部よりも清掃体外側に第２接合部１２２に相当する接合部を配置する構成を採用することもできる。【００７７】
また、上記実施の形態では、保持シート部１１２における第３接合部１２３の形状や配置に関しては、清掃体１１０の設計仕様等、必要に応じて適宜変更が可能である。ここで、別実施の形態の第３接合部に関しては、図１３及び図１４が参照される。図１３には、別実施の形態の第３接合部２２３を含む保持シート部２１２の平面図が示され、また図１４には、別実施の形態の第３接合部３２３を含む保持シート部３１２の平面図が示されている。【００７８】
図１３に示す保持シート部２１２では、図４中の保持シート部１１２とは異なり、分割清掃部１２４の長尺方向に直線状に延在する単一の第３接合部２２３を、分割清掃部１２４ごとに採用している。また、図１４に示す保持シート部３１２では、図４中の保持シート部１１２とは異なり、接合線１２３ａ、接合線１２３ｂ及び接合線１２３ｃがそれぞれ、非接合部分を隔てて互いに離間する第３接合部３２３を分割清掃部１２４ごとに採用している。これら第３接合部２２３，３２３を備える保持シート部２１２，３１２を用いる場合によっても、第３接合部１２３を備える保持シート部１１２を用いる場合と同様の作用効果を奏する。なお、第３接合部２２３或いは第３接合部３２３を形成する各接合線１２３ａ，１２３ｂ，１２３ｃは、分割清掃部１２４の長尺方向に直線状に延在する以外に、当該長尺方向と交差する方向に直線状に延在する構成や、当該長尺方向に沿って曲線状に延在する構成とされてもよい。【００７９】
また、上記実施の形態では、２つの分割清掃部１２４を有する清掃体１１０について記載したが、本発明では、分割清掃部１２４に相当する部位の数は２つ以上の範囲で適宜設定することも可能である。【００８０】
また、上記実施の形態では、清掃体１１０は、各分割清掃部１２４の断面が略円形ないし略楕円形とされる場合について記載したが、本発明では、当該断面が略円形ないし略楕円形の全部または一部を構成する形態であればよく、例えば分割清掃部の断面が、円形の一部を構成する１または複数の扇形状とされてもよい。【００８１】
また、上記実施の形態では、清掃体１１０をシート状の不織布と繊維集合体を用いて構成する場合について記載したが、本発明では、シート状の不織布と繊維集合体のいずれか一方によって清掃体が構成されてもよい。【００８２】
また、上記実施の形態の清掃体１１０では、各清掃体シート部１１６に表面シート１１８を含む場合について記載したが、清掃体１１０の設計仕様変更等の必要に応じては、表面シート１１８を省略することも可能である。【００８３】
また本発明の趣旨に鑑み、以下の構成を構築することが可能である。
(態様１)
清掃対象の清掃に用いる清掃体であって、
当該清掃体の長尺方向に沿って、少なくとも部分的に互いに分割された複数の分割清掃部であって、当該複数の分割清掃部の間に一または複数の長尺状の空間部が形成されるように構成された分割清掃部を有し、
前記分割清掃部の少なくとも一つは、
当該分割清掃部の長尺方向と交差する方向に延在する繊維を複数集合させた繊維集合体と、
不織布からなる複数の不織布シートが積層された不織布積層体と、
少なくとも前記不織布積層体を接合する第１の接合部と、
前記繊維集合体のうちの少なくとも一部の繊維と前記不織布積層体とを部分的に接合する第２の接合部であって、前記不織布積層体と繊維集合体とは、全体に渡って、または一部について互いに重ね合わされるように構成された第２の接合部と、
保持体が挿入される挿入用の開口部を有し、前記分割清掃部の長尺方向に延在するとともに、前記複数の不織布シート及び少なくとも前記第１の接合部によって区画される被挿入領域と、を有し、
前記第２の接合部は、前記分割清掃部の長尺方向と交差する方向に関し、前記被挿入領域について前記第１の接合部の反対側に設けられていることを特徴とする清掃体。
（態様２）
態様１に記載の清掃体であって、
前記分割清掃体は、さらに前記被挿入領域を形成する第３の接合部を有することを特徴とする清掃体。
（態様３）
態様２に記載の清掃体であって、
前記第３の接合部は、前記不織布積層体の全ての不織布シートと、前記繊維集合体の少なくとも一部の繊維とを接合することを特徴とする清掃体。
(態様４)
態様１から３までのいずれか一つに記載の清掃体であって、
前記被挿入領域は、当該被挿入領域の第１の面の少なくとも一部を形成する一の不織布シートと、前記被挿入領域の第２の面の少なくとも一部を形成する他の不織布シートとを有し、
当該各不織布シートは接合されて、前記被挿入領域の側部の少なくとも一部を形成し、
当該側部は、前記分割清掃部の長尺方向に延在することを特徴とする清掃体。
（態様５）
態様１から４までのいずれかに一つに記載の清掃体であって、
前記分割清掃体は、長尺方向に延在するとともに、当該清掃体の長尺方向中央線に向かって配された内側部と、当該内側部に対向して、当該清掃体の長尺方向中央線から離間して配されつつ前記長尺方向に延在する外側部とを有し、
前記第１の接合部は、前記被挿入領域の側部を形成し、
当該側部が、前記分割清掃体の長軸方向に延在するとともに、前記分割清掃体の外側部よりも内側部に近接して配置され、
前記第２の接合部は、前記第１の接合部と前記内側部の間に配置されることを特徴とする清掃体。
（態様６）
態様２から４までのいずれか一つに係る態様５に記載の清掃体であって、
前記第３の接合部は、前記被挿入領域の他の側部を形成し、
当該他の側部は前記分割清掃体の長尺方向へと延在し、
前記分割清掃体の内側部よりも前記外側部に近接して配置されることを特徴とする清掃体。
（態様７）
態様１から６までのいずれか一つに記載の清掃体であって、
前記第２の接合部は、前記分割清掃体の長尺方向に配された複数の接合点を有し、
前記第２の接合部は、前記不織布積層体と、前記繊維集合体の少なくとも一部の繊維とを当該接合点を介して部分的に接合することを特徴とする清掃体。
（態様８）
態様１から７までのいずれか一つに記載の清掃体であって、
前記分割清掃体に包含される一または複数のシートを更に有することを特徴とする清掃体。
（態様９）
態様１から８までのいずれか一つに記載の清掃体であって、
前記分割清掃体は、連続的な第１の接合部と、断続的な第２の接合部とを有し、さらに第３の接合部が選択的に配されることを特徴とする清掃体。
（態様１０）
態様９に記載の清掃体であって、
前記第１および/または第３の接合部は、当該清掃体長の略６０〜１００％、好ましくは略８０〜１００％に渡って延在することを特徴とする清掃体。
（態様１１）
態様９または１０に記載の清掃体であって、
前記第２の接合部は、接合点の集合体として構成され、
当該集合体の長さは、前記第１の接合部から最後の前記接合点へと見た場合に、当該清掃体長の略４０〜８０％に渡ることを特徴とする清掃体。
（態様１２）
態様１から１１までのいずれか一つに記載の清掃体であって、
当該清掃体は、前記長尺状の空間部によって分離された二つの分割清掃体を有し、
当該二つの分割清掃体は、それぞれ第１および第２の接合部を有することを特徴とする清掃体。
（態様１３）
態様１から１２までのいずれか一つに記載の清掃体と、長尺状の清掃体ホルダとを有する清掃用具であって、
前記長尺状の清掃体ホルダは、把持部と、当該把持部からそれぞれ並行して長尺状に延在する複数の保持体とを有し、
当該長尺状の保持体のそれぞれは、前記清掃体の分割清掃体の被挿入領域に挿入可能に構成されていることを特徴とする清掃用具。
【図面の簡単な説明】
【００８４】
【図１】本実施の形態の清掃用具１００を構成する清掃体１１０及び清掃体ホルダ１３０が互いに組み付けられる前の状態の斜視図である。
【図２】図１中の清掃体１１０を各積層要素に分解した状態の斜視図である。
【図３】図１中の清掃体１１０の保持シート部１１２の構成を示す斜視図である。
【図４】図３中の保持シート部１１２の構成を示す平面図である。
【図５】図１中の清掃体１１０のＡ−Ａ線に関する断面構造を示す図である。
【図６】図１中の清掃体１１０のＢ−Ｂ線に関する断面構造を示す図である。
【図７】図１中の清掃体１１０のＣ−Ｃ線に関する断面構造を示す図である。
【図８】図１中の清掃体１１０のＡ−Ａ線に関する断面構造であって、清掃体ホルダ装着前及び清掃体ホルダ装着後の様子を模式的に示す図である。
【図９】図１中の清掃体１１０のＢ−Ｂ線に関する断面構造であって、清掃体ホルダ装着前及び清掃体ホルダ装着後の様子を模式的に示す図である。
【図１０】清掃体ホルダ１３０が組みつけられた状態の清掃体１１０の斜視図である。
【図１１】実施の形態の清掃体１１０のうち保持シート部１１２の構成を示す平面図であって、図１０の挿入初期の状態から更に保持体１４２，１４２が挿入された状態に相当する図である。
【図１２】本実施の形態の清掃体１１０のうち保持シート部１１２の構成を示す斜視図であって、保持体１４２，１４２の挿入孔１１５，１１５への挿入が完了した状態に相当する図である。
【図１３】別実施の形態の第３接合部２２３を含む保持シート部２１２の平面図である。
【図１４】別実施の形態の第３接合部３２３を含む保持シート部３１２の平面図である。
【符号の説明】
【００８５】
１００…清掃用具
１１０…清掃体
１１２…保持シート部
１１３…基材シート
１１４…保持シート
１１４ａ…短冊片
１１５…挿入孔
１１５ａ…開口部
１１５ｂ…第１の挿入孔構成部
１１５ｃ…第２の挿入孔構成部
１１６…清掃体シート部
１１７…繊維集合体
１１８…表面シート
１１８ａ…短冊片
１１９…重なり領域
１２１…第１接合部
１２１ａ，１２１ｂ，１２１ｃ…接合線
１２２…第２接合部
１２３…第３接合部
１２３ａ，１２３ｂ，１２３ｃ，１２１ｄ…接合線
１２４…分割清掃部
１２５…空間部
１３０…清掃体ホルダ
１４０…ホルダ本体
１４１…基部
１４２…保持体
１４３…突片
１５０…ハンドル部
１５１…ハンドル本体
１５１ａ…連結部
【図１】
0005503640.tif 000002
【図２】
0005503640.tif 000003
【図３】
0005503640.tif 000004
【図４】
0005503640.tif 000005
【図５】
0005503640.tif 000006
【図６】
0005503640.tif 000007
【図７】
0005503640.tif 000008
【図８】
0005503640.tif 000009
【図９】
0005503640.tif 000010
【図１０】
0005503640.tif 000011
【図１１】
0005503640.tif 000012
【図１２】
0005503640.tif 000013
【図１３】
0005503640.tif 000014
【図１４】
0005503640.tif 000015